【手続補正書】
【提出日】令和1年6月5日(2019.6.5)
【手続補正１】
【補正対象書類名】明細書
【補正対象項目名】０００８
【補正方法】変更
【補正の内容】
【０００８】
本発明の一態様に係る印刷装置は、複数の発熱素子を有して被印刷媒体に印刷を行う印刷ヘッドと、前記印刷ヘッドの温度と前記複数の発熱素子の少なくとも一部に通電する通電時間とが対応付けられた通電テーブルを格納し、前記通電テーブルは前記通電時間の各々に対応する前記被印刷媒体を搬送する互いに異なる複数の搬送速度を記憶する記憶部と、前記印刷ヘッドの温度を測定する測定部と、前記被印刷媒体を、前記複数の搬送速度に含まれない第１の搬送速度で搬送するように設定され、且つ、前記測定部により測定された前記印刷ヘッドの温度が第１の温度であるときに、前記複数の発熱素子の少なくとも一部に通電する第１の通電時間を、前記通電テーブルにおける、前記複数の搬送速度のうちの前記第１の搬送速度より速い一つの第２の搬送速度に対応した第１の通電テーブルと、前記複数の搬送速度のうちの前記第１の搬送速度より遅い一つの第３の搬送速度に対応した第２の通電テーブルと、に基づいて、算出する制御部と、を備える。
【手続補正２】
【補正対象書類名】明細書
【補正対象項目名】０００９
【補正方法】変更
【補正の内容】
【０００９】
本発明の一態様に係る制御方法は、印刷装置の制御方法であって、前記印刷装置は、複数の発熱素子を有して被印刷媒体に印刷を行う印刷ヘッドと、前記印刷ヘッドの温度と前記複数の発熱素子の少なくとも一部に通電する通電時間とが対応付けられた通電テーブルを格納し、前記通電テーブルは前記通電時間の各々に対応する前記被印刷媒体を搬送する互いに異なる複数の搬送速度を記憶する記憶部と、前記印刷ヘッドの温度を測定する測定部と、を有し、  前記被印刷媒体を、前記複数の搬送速度に含まれない第１の搬送速度で搬送するように設定され、且つ、前記測定部により測定された前記印刷ヘッドの温度が第１の温度であるときに、前記複数の発熱素子の少なくとも一部に通電する第１の通電時間を、前記通電テーブルにおける、前記複数の搬送速度のうちの前記第１の搬送速度より速い一つの第２の搬送速度に対応した第１の通電テーブルと、前記複数の搬送速度のうちの前記第１の搬送速度より遅い一つの第３の搬送速度に対応した第２の通電テーブルと、に基づいて算出する。
【手続補正３】
【補正対象書類名】明細書
【補正対象項目名】００１０
【補正方法】変更
【補正の内容】
【００１０】
本発明の一態様に係るプログラムは、印刷装置を制御するコンピュータにより実行されるプログラムであって、前記印刷装置は、複数の発熱素子を有して被印刷媒体に印刷を行う印刷ヘッドと、前記印刷ヘッドの温度と前記複数の発熱素子の少なくとも一部に通電する通電時間とが対応付けられた通電テーブルを格納し、前記通電テーブルは前記通電時間の各々に対応する前記被印刷媒体を搬送する互いに異なる複数の搬送速度を記憶する記憶部と、前記印刷ヘッドの温度を測定する測定部と、を有し、前記プログラムは、前記コンピュータにおいて、前記被印刷媒体を、前記複数の搬送速度に含まれない第１の搬送速度で搬送するように設定され、且つ、前記測定部で測定された前記印刷ヘッドの温度が第１の温度であるときに、前記複数の発熱素子の少なくとも一部に通電する第１の通電時間を、前記通電テーブルにおける、前記複数の搬送速度のうちの前記第１の搬送速度より速い一つの第２の搬送速度に対応した第１の通電テーブルと、前記複数の搬送速度のうちの前記第１の搬送速度より遅い一つの第３の搬送速度に対応した第２の通電テーブルと、に基づいて算出させる。
【手続補正４】
【補正対象書類名】特許請求の範囲
【補正対象項目名】全文
【補正方法】変更
【補正の内容】
【特許請求の範囲】
【請求項１】
複数の発熱素子を有して被印刷媒体に印刷を行う印刷ヘッドと、
前記印刷ヘッドの温度と前記複数の発熱素子の少なくとも一部に通電する通電時間とが対応付けられた通電テーブルを格納し、前記通電テーブルは前記通電時間の各々に対応する前記被印刷媒体を搬送する互いに異なる複数の搬送速度を記憶する記憶部と、
前記印刷ヘッドの温度を測定する測定部と、
前記被印刷媒体を、前記複数の搬送速度に含まれない第１の搬送速度で搬送するように設定され、且つ、前記測定部により測定された前記印刷ヘッドの温度が第１の温度であるときに、前記複数の発熱素子の少なくとも一部に通電する第１の通電時間を、前記通電テーブルにおける、前記搬送速度のうちの前記第１の搬送速度より速い一つの第２の搬送速度に対応した第１の通電テーブルと、前記複数の搬送速度のうちの前記第１の搬送速度より遅い一つの第３の搬送速度に対応した第２の通電テーブルと、に基づいて、算出する制御部と、
を備えることを特徴とする印刷装置。
【請求項２】
請求項１に記載の印刷装置において、
前記第２の搬送速度は、前記複数の搬送速度のうちの前記第１の搬送速度より速い複数の搬送速度の中で前記第１の搬送速度に最も近い値であり、
前記第３の搬送速度は、前記複数の搬送速度のうちの前記第１の搬送速度より遅い複数の搬送速度の中で前記第１の搬送速度に最も近い値であることを特徴とする印刷装置。
【請求項３】
請求項２に記載の印刷装置において、
前記制御部は、前記第１の通電時間を、前記第１の通電テーブルにおける前記第１の温度に対応付けられた第２の通電時間と、前記第２の通電テーブルにおける前記第１の温度に対応付けられた第３の通電時間と、から補間して算出することを特徴とする印刷装置。
【請求項４】
請求項２に記載の印刷装置において、
前記制御部は、
前記第１の通電テーブルにおける、前記第１の温度より低い第２の温度に対応付けられた第４の通電時間と、前記第１の温度より高い第３の温度に対応付けられた第５の通電時間と、から補間して前記第１の温度での第６の通電時間を算出し、
前記第２の通電テーブルにおける、前記第１の温度より低い第４の温度に対応付けられた第７の通電時間と、前記第１の温度より高い第５の温度に対応付けられた第８の通電時間と、から補間して前記第１の温度での第９の通電時間を算出し、
前記第６の通電時間と前記第９の通電時間とから補間して前記第１の通電時間を算出することを特徴とする印刷装置。
【請求項５】
請求項１乃至４の何れか一項に記載の印刷装置において、
前記制御部は、前記被印刷媒体の搬送速度を時間経過とともに増加させる加速期間中又は前記搬送速度を時間経過とともに減少させる減速期間中であるときに、前記第１の通電時間の算出を行うことを特徴とする印刷装置。
【請求項６】
請求項５に記載の印刷装置において、さらに、
前記被印刷媒体を搬送する搬送部を駆動するモータを備え、
前記制御部は、
前記複数の発熱素子のうちの、前記被印刷媒体に印刷される印刷パターンを構成する各印刷ラインに含まれる印刷ドットの数に対応する数の発熱素子を同時に駆動する一括駆動により、前記印刷ヘッドが前記被印刷媒体に前記印刷パターンを印刷するときに、前記モータをスルー領域に向けて加速させることを許可する特定の条件が満たされているか否かを判定し、
前記特定の条件が満たされていると判定したときに前記モータを前記スルー領域へ向けて加速させて、前記被印刷媒体の搬送速度を時間経過とともに増加させるように制御することを特徴とする印刷装置。
【請求項７】
請求項６に記載の印刷装置において、
前記制御部は、
前記モータを前記スルー領域へ移行させて、前記被印刷媒体に前記印刷パターンの印刷を行った場合に、前記モータを自起動領域内で動作させて前記印刷パターンの印刷を行った場合よりも印刷時間が短くなるときに、前記特定の条件が満たされていると判定し、
前記モータを前記スルー領域へ向けて加速させることを特徴とする印刷装置。
【請求項８】
請求項６に記載の印刷装置において、
前記特定の条件は、印刷品位に関する条件及び前記モータの耐久性の劣化に関する条件の少なくとも一方を含むことを特徴とする印刷装置。
【請求項９】
印刷装置の制御方法であって、
前記印刷装置は、複数の発熱素子を有して被印刷媒体に印刷を行う印刷ヘッドと、前記印刷ヘッドの温度と前記複数の発熱素子の少なくとも一部に通電する通電時間とが対応付けられた通電テーブルを格納し、前記通電テーブルは前記通電時間の各々に対応する前記被印刷媒体を搬送する互いに異なる複数の搬送速度を記憶する記憶部と、前記印刷ヘッドの温度を測定する測定部と、を有し、
前記被印刷媒体を、前記複数の搬送速度に含まれない第１の搬送速度で搬送するように設定され、且つ、前記測定部により測定された前記印刷ヘッドの温度が第１の温度であるときに、前記複数の発熱素子の少なくとも一部に通電する第１の通電時間を、前記通電テーブルにおける、前記複数の搬送速度のうちの前記第１の搬送速度より速い一つの第２の搬送速度に対応した第１の通電テーブルと、前記複数の搬送速度のうちの前記第１の搬送速度より遅い一つの第３の搬送速度に対応した第２の通電テーブルと、に基づいて算出することを特徴とする制御方法。
【請求項１０】
印刷装置を制御するコンピュータにより実行されるプログラムであって、
前記印刷装置は、複数の発熱素子を有して被印刷媒体に印刷を行う印刷ヘッドと、前記印刷ヘッドの温度と前記複数の発熱素子の少なくとも一部に通電する通電時間とが対応付けられた通電テーブルを格納し、前記通電テーブルは前記通電時間の各々に対応する前記被印刷媒体を搬送する互いに異なる複数の搬送速度を記憶する記憶部と、前記印刷ヘッドの温度を測定する測定部と、を有し、
前記プログラムは、
前記コンピュータにおいて、
前記被印刷媒体を、前記複数の搬送速度に含まれない第１の搬送速度で搬送するように設定され、且つ、前記測定部で測定された前記印刷ヘッドの温度が第１の温度であるときに、前記複数の発熱素子の少なくとも一部に通電する第１の通電時間を、前記通電テーブルにおける、前記複数の搬送速度のうちの前記第１の搬送速度より速い一つの第２の搬送速度に対応した第１の通電テーブルと、前記複数の搬送速度のうちの前記第１の搬送速度より遅い一つの第３の搬送速度に対応した第２の通電テーブルと、に基づいて算出させることを特徴とするプログラム。